(57)【要約】      （修正有）【課題】快適な通気性と、埃や花粉に対する十分なフィルタリング効果とを両立させる機能性ミクロフィルタ使用の花粉マスクを提供する。【解決手段】機能性ミクロフィルタ使用の花粉マスクは、マスク本体１２を有する。マスク本体１２は、ガーゼ又は不織布からなるマスク表面層１６と、このマスク表面層１６の装着面側に配置される極薄マスクフィルタ１８とを備える。極薄マスクフィルタ１８は、厚さ０．０３μのフッ素樹脂フィルムを含む。【選択図】図２
0003167728.tif 000002
【実用新案登録請求の範囲】
【請求項１】
ガーゼ又は不織布からなるマスク表面層と、
前記マスク表面層の装着面側に配置される極薄マスクフィルタと、を備え、
前記極薄マスクフィルタは、厚さ０．０３μのフッ素樹脂フィルムを含むことを特徴とする機能性ミクロフィルタ使用の花粉マスク。
【請求項２】
前記極薄マスクフィルタは、
前記フッ素樹脂フィルムを表裏から挟みこむ２枚の不織布層を備えることを特徴とする請求項１に記載の機能性ミクロフィルタ使用の花粉マスク。
【請求項３】
ガーゼ又は不織布からなり、前記マスク表面層と共に前記極薄マスクフィルタを表裏から挟み込むマスク装着面層を備えることを特徴とする請求項１又は２に記載の機能性ミクロフィルタ使用の花粉マスク。
【考案の詳細な説明】
【技術分野】
【０００１】
この考案は、花粉マスクに係り、特に機能性ミクロフィルタ使用の花粉マスクに関する。
【背景技術】
【０００２】
近年、花粉症に苦しむ者が増え、特に春を迎えるころ、都会ではマスクを装着して通勤する人々の風景が異常ではなくなっている。２０１１年１月には、環境省の月次定例報告で、今春のスギとヒノキの花粉飛散につき、関東では例年より飛散の量が多く、花粉症が重症化し易い期間が１ヶ月半に渡る、との告示もされている。専門家によれば、「これは例年の１．５倍の多さに相当する」とのことであり、また、花粉症は、１日の花粉飛散量が１ｃｍ２当たり３０個以上になると重症化すると言われている。
【考案の概要】
【考案が解決しようとする課題】
【０００３】
マスクのフィルタは、通気性を維持しながら、外部からの埃、花粉、細菌等の進入を阻止するためのものであり、マスク素材を適宜二重・三重とすることで構成される。しかしながら、その厚さを大きくして進入阻止の効果を得ようとすれば、通気性が悪化して使用者に息苦しさを感じさせるものになってしまう。
【０００４】
現在市販されているマスクフィルタの多くは、メルトブロー製法により製造された不織布に静電加工を施したもので、空気中の埃等を静電気の効果でフィルタリングする。静電気の効果は、温度や湿度に応じて変化するため、このタイプのマスクフィルタの効果は、外部環境の温度や湿度の影響を受けて低下してしまうことがある。
【０００５】
マスクフィルタとしては、活性炭の吸着原理を利用したものも知られている。活性炭のフィルタリング効果は、湿度や吸着物の影響で低下する。このため、このタイプのマスクフィルタは、真空包装の状態で輸送や保管がされなければ、フィルタリング効果を半減させてしまう。
【０００６】
何れのタイプにしても、現在用いられているマスクフィルタの大半のものは、メッシュの大きさが３０〜１５０μ程度である。これに対して、スギ花粉の粒子は単体で３０〜４０μ、スギ花粉アレルゲン粒子は０．７６〜７．０μと言われている。また、各種細菌は、それらより更に小さいのが通常である。このため、従来のマスクフィルタによっては、快適な通気性が確保できる程度の厚さと、埃や花粉に対する十分なフィルタリング効果とを両立することが困難である。
【０００７】
この考案は、上述のような課題を解決するためになされたもので、快適な通気性と、埃や花粉に対する十分なフィルタリング効果とを両立させることのできる機能性ミクロフィルタ使用の花粉マスクを提供することを目的とする。
【課題を解決するための手段】
【０００８】
この考案は、上記の目的を達成するため、機能性ミクロフィルタ使用の花粉マスクであって、ガーゼ又は不織布からなるマスク表面層と、前記マスク表面層の装着面側に配置される極薄マスクフィルタと、を備え、前記極薄マスクフィルタは、厚さ０．０３μのフッ素樹脂フィルムを含むことを特徴とする。
【考案の効果】
【０００９】
この考案によれば、厚さ０．０３μのフッ素樹脂フィルムを用いて極薄マスクフィルタを構成しているため、快適な通気性と、埃や花粉に対する十分なフィルタリング効果とを両立させることができる。
【図面の簡単な説明】
【００１０】
【図１】本考案の第１実施形態に係る機能性ミクロフィルタ使用の花粉マスクの外観図である。
【図２】図１に示す花粉マスクが備えるマスク本体の構造を説明するための図である。
【考案を実施するための形態】
【００１１】
実施の形態１．
図１は、本考案の実施の形態１に係る機能性ミクロフィルタ使用の花粉マスク１０の外観を示す。花粉マスク１０は、マスク本体１２を有している。マスク本体１２は、初期状態では概ね長方形に成型されており、長手方向に縦断する複数のひだの効果で、中央部が凸となる立体的な形状に変化することができる。マスク本体１２の２つの側部には、それぞれ、掛け紐１４が装着されている。
【００１２】
図２は、マスク本体１２の構造を説明するための図である。マスク本体１２は、装着時に外気側に露出することとなるマスク表面層１６を備えている。マスク表面層１６は、ガーゼ又は不織布で構成されている。
【００１３】
マスク表面層１６の裏面側、すなわち、装着時に人体側となる装着面側には、極薄マスクフィルタ１８が配置されている。極薄マスクフィルタ１８は、フッ素樹脂フィルムを薄く引き延ばすことで構成されており、その膜圧は０．０３μとされている。このように構成された極薄マスクフィルタ１８は、十分な通気性を維持しながら、自然界に存在する埃、花粉、粉塵、細菌等の通過を９９．９％阻止することが可能である。
【００１４】
極薄マスクフィルタ１８の装着面側には、マスク装着面層２０が配置されている。マスク装着面層２０は、マスク表面層１６と同様に、ガーゼ又は不織布で構成されている。つまり、本実施形態において、マスク本体１２は、極薄マスクフィルタ１８を、２枚のガーゼ又は不織布で挟み込んだ構造を有している。
【００１５】
本実施形態に係る機能性ミクロフィルタ使用の花粉マスク１０は、上記のように構成されているため、十分な通気性を確保しつつ、埃、花粉、細菌などに対して十分なフィルタリング効果を発揮することができる。このため、本実施形態の花粉マスク１０によれば、快適な装着感と、優れた空気清浄効果とを、使用者に同時に提供することができる。
【００１６】
実施の形態２．
次に、本考案の実施の形態２について説明する。
上述した実施の形態１では、極薄マスクフィルタ１８を、０．０３μのフッ素樹脂フィルムのみで構成することとしている。これに対して、実施の形態２では、極薄マスクフィルタを、上記のフッ素樹脂フィルタと、これを挟み込む２枚の不織布で構成する点に特徴を有している。本実施形態の花粉マスクは、この点を除いて、実施の形態１の花粉マスク１０と同様である。
【００１７】
０．０３μのフッ素樹脂フィルムは、それ単体では、取り扱いが必ずしも容易ではない。これに対して、本実施形態において用いられるフィルタ、つまり、０．０３μのフッ素樹脂フィルムを２枚の不織布で挟み込んだ構成を有するフィルタは、皺にもなりにくく、素手での取り扱いも容易である。このため、本実施形態の構造によれば、例えば、極薄マスクフィルタを密閉包装した状態で輸送・保管しておき、使用者が、使用の際に、極薄マスクフィルタをマスク表面層１６とマスク装着面層２０の間に配置する、というような運用を抵抗無く採用することができる。このように、本実施形態の花粉マスクによれば、実施の形態１の場合に比して、花粉マスクの取り扱いに関する自由度を高めることが可能である。
【００１８】
実施の形態３．
次に、本考案の実施の形態３について説明する。
上述した実施の形態１及び２では、極薄マスクフィルタを、マスク表面層１６とマスク装着面層２０の間に挟み込むことで、マスク本体１２を形成している。ところで、実施の形態２では、フッ素樹脂フィルムを２枚の不織布で挟み込むことにより極薄マスクフィルタを構成することとしている。この場合、極薄マスクフィルタを構成した段階で、フッ素樹脂フィルムの装着面側は、既に不織布で覆われた状態となる。
【００１９】
つまり、極薄マスクフィルタを、２枚の不織布を含む３層構造とする場合、マスク装着面層２０を省略しても、フッ素樹脂フィルムが使用者の皮膚に直接触れることはなく、装着感が損なわれることはない。そこで、本実施形態の花粉マスクは、実施の形態１及び２で用いたマスク装着面層２０を省略して、マスク表面層１６と、その装着面側に配置される３層構造の極薄マスクフィルタとだけで、マスク本体を形成することとした。
【００２０】
上記の構造によれば、実施の形態１又は２の場合に比して、花粉マスクの構造を簡単にすることができ、その結果、不織布の消費量を減らすことができる等の副次的効果を得ることができる。
【符号の説明】
【００２１】
１０  花粉マスク
１２  マスク本体
１６  マスク表面層
１８  極薄マスクフィルタ
２０  マスク装着面層
【図１】
0003167728.tif 000003
【図２】
0003167728.tif 000004